(57)【要約】【課題】人にやさしい照明制御を行うことができる照明器具を提供する。【解決手段】照明器具１０は、光源１２と、人感センサ１８と、を有し、光源１２の照明を制御し、光源１２の点灯保持時間の終了による消灯を警告する。点灯保持時間の終了による消灯を警告する手段は、光源１２を瞬間的に消灯する。【選択図】図１
2010170737.tif 000002
【特許請求の範囲】
【請求項１】
光源と、人感センサと、を有し、前記光源の照明を制御し、前記光源の点灯保持時間の終了による消灯を警告する照明器具において、
前記点灯保持時間の終了による消灯を警告する手段は、前記光源を瞬間的に消灯することを特徴とする照明器具。
【請求項２】
前記光源の瞬間的な消灯は、連続的に繰り返されることを特徴とする請求項１記載の照明器具。
【発明の詳細な説明】
【技術分野】
【０００１】
本発明は、人感センサを有して人感センサの検知に基づいて照明を制御する照明器具に関する。
【背景技術】
【０００２】
従来、例えばトイレ等で使用する照明器具には人感（赤外線）センサを搭載するものがある。このような照明器具は、トイレに入室時に自動点灯し、トイレ使用後に自動消灯して無駄な明かりを消すことで省エネを図るようにしている。
【０００３】
このような照明器具では、トイレ使用時に消灯しないように、人感センサで人を検知後に点灯時間をある程度保持する機能や、保持時間末期にまもなく消灯することを使用者に知らせるため調光点灯して暗く変化することにより使用者の動作を促して人の動きを検知する機能を備える。
【０００４】
従来の照明器具の一例として、照明灯が消灯する直前の一定時間だけ照明灯を点滅させるようにしたものがある（例えば、特許文献１参照）。
【先行技術文献】
【特許文献】
【０００５】
【特許文献１】実開平７−３０４９７号公報（図１、請求項１）
【発明の概要】
【発明が解決しようとする課題】
【０００６】
ところが、上記特許文献１に開示された照明器具では、保持時間末期に照明灯が消灯する直前の一定時間だけ照明灯を点滅させるようにしている。
【０００７】
そのため、照明灯は点滅後に必ず消灯してしまう。これにより、点滅時間中に人の動きがあったとしても照明灯は消灯するだけであり、使い勝手が良好ではなく、人にやさしい動きが望まれる。
【０００８】
本発明は、前述した課題を解決するためになされたものであり、その目的は、人にやさしい照明制御を行うことができる照明器具を提供することにある。
【課題を解決するための手段】
【０００９】
本発明に係る照明器具は、光源と、人感センサと、を有し、前記光源の照明を制御し、前記光源の点灯保持時間の終了による消灯を警告する照明器具において、前記点灯保持時間の終了による消灯を警告する手段は、前記光源を瞬間的に消灯することを特徴とする。
【００１０】
本発明においては、光源は、予め設定された点灯保持時間が終了する間際に瞬間的に消灯してから点灯する。
これにより、点灯保持時間が終了する間際に暗くなることはなく、点灯保持時間が終了する間際に人の動きがあった場合、消灯後に点灯することにより不自由のない十分な光量で照明を行うことができる。
従って、人にやさしい照明制御を行うことができる。
【００１１】
本発明に係る照明器具は、上記照明器具において、前記光源の瞬間的な消灯は、連続的に繰り返されることを特徴とする。
【００１２】
本発明においては、光源は、予め設定された点灯保持時間が終了する間際に瞬間的な消灯を繰り返す。
これにより、点灯保持時間が終了する間際に暗くなることはなく、点灯保持時間が終了する間際に人の動きがあった場合、連続的な消灯後に点灯を行う。
従って、不自由のない十分な光量で照明を行うことができるとともに消灯への移行を明確に促すことができる。
【発明の効果】
【００１３】
本発明の照明器具によれば、光源と、人感センサと、を有し、光源の照明を制御し、光源の点灯保持時間の終了による消灯を警告する。点灯保持時間の終了による消灯を警告する手段は、光源を瞬間的に消灯する。
これにより、人にやさしい照明制御を行うことができるという効果を有する。
【図面の簡単な説明】
【００１４】
【図１】本発明に係る第１実施形態の照明器具の斜め下方から視た外観斜視図
【図２】図１に示した照明器具における人感センサ周りの底面図
【図３】（Ａ）は図２に示した人感センサの縦断面図、（Ｂ）は（Ａ）の底面図
【図４】図１に示した照明器具における回路構成図
【図５】図１に示した照明器具における動作を説明するタイムチャート
【図６】本発明に係る第２実施形態の照明器具における動作を説明するタイムチャート
【発明を実施するための形態】
【００１５】
以下、本発明の複数の実施形態に係る照明器具について図面を参照して説明する。
【００１６】
（第１実施形態）
図１に示すように、本発明の第１実施形態である照明器具１０は、セードである器具本体１１と、電球型蛍光灯である光源１２と、センサ部１３と、を備え、住宅等のトイレの天井面１に取り付けられる。
【００１７】
器具本体１１は筒形状に形成されており、内部に電源部（図４参照）１４、制御部（図４参照）１５を内蔵している。器具本体１１は、その中央部に光源１２を装着している。
【００１８】
光源１２は調光制御を行えない電球型蛍光灯である。光源１２としては一般的な白熱灯を適用することもできる。
【００１９】
センサ部１３は器具本体１１の側部に組み付けられており、使用する人により設定される点灯明るさ設定つまみ１６および点灯保持時間設定つまみ１７を露出して配置している。
【００２０】
図２にも示すように、センサ部１３は人感センサ（図３参照）１８と明るさセンサ（図３参照）１９とを内包した例えば透明のセンサレンズ２０をエスカッション２１の中央部に配置している。点灯明るさ設定つまみ１６と点灯保持時間設定つまみ１７とはセンサレンズ２０の側部に配置されている。
【００２１】
図３（Ａ），（Ｂ）にも示すように、センサ部１３はセンサ基板２２上に人感センサ１８と明るさセンサ１９とを実装しており、センサレンズ２０をセンサ基板２２に固定している。
【００２２】
図４にも示すように、器具本体１１に内蔵されている電源部１４および制御部１５は交流の商用電源ＡＣおよび光源１２に電気的に接続されている。
【００２３】
電源部１４および制御部１５は設定部２３およびセンサ部１３に電気的に接続されている。設定部２３は点灯明るさ設定つまみ１６を有する点灯明るさ設定回路２４および点灯保持時間設定つまみ１７を有する点灯保持時間設定回路２５からなる。
【００２４】
人感センサ１８は例えば赤外線センサであり、検知範囲内の熱の変化量に正方向の変動を生じた際に人検知信号を制御部１５に転送する。
【００２５】
明るさセンサ１９は例えば日射センサであり、検知範囲内の日射量測定値を制御部１５に転送する。
【００２６】
点灯明るさ設定回路２４は点灯明るさ設定つまみ１６を回動することにより、例えば１０Ｌｘ〜６０Ｌｘ等の任意の明るさ設定値Ｌｎに変更可能である。
【００２７】
点灯保持時間設定回路２５は点灯保持時間設定つまみ１７を回動することにより、人感センサ１８より与えられていた人検知信号が無くなった時から光源１２を消灯させるまでの点灯保持時間ｔｎを、例えば３０ｓ〜１８０ｓ等の任意の時間に設定可能である。
【００２８】
制御部１５は人感センサ１８より人検知信号が与えられると、点灯明るさ設定回路２４により設定されている明るさレベルで光源１２を駆動させ、明るさセンサ１９から与えられた現在の日射量測定値と点灯明るさ設定回路２４により設定されている明るさ設定値とを比較する。
【００２９】
具体的に、制御部１５は明るさセンサ１９の日射量測定値が点灯明るさ設定回路２４により設定された明るさ設定値よりも低いときに照射量を上げるように光源１２に駆動電流を供給する。
【００３０】
これとは異なり、制御部１５は明るさセンサ１９の日射量測定値が点灯明るさ設定回路２４により設定された明るさ設定値よりも高いときに照射量を下げるように光源１２に駆動電流を供給する。
【００３１】
制御部１５は人感センサ１８からの人検知信号がなくなると、点灯保持時間設定回路２５により設定されている点灯保持時間ｔｎから予め定められた時間６ｓ（秒）を減算した時刻において、例えば０．２ｓ（秒）の瞬時消灯を行い、その後に、光源１２による明るさ設定値Ｌｎの明るさでの照明を行う。
【００３２】
制御部１５は点灯保持時間設定回路２５により設定されている点灯保持時間ｔｎが経過すると、光源１２への駆動電流の供給を停止して消灯させる。
【００３３】
制御部１５は点灯保持時間設定回路２５により設定されている点灯保持時間ｔｎの減算が終了するまでの間に人感センサ１８から人検知信号が再度与えられると、点灯保持時間設定回路２５により設定されている新たな点灯保持時間ｔｎの減算処理を再度始める。
【００３４】
そして、制御部１５は点灯保持時間設定回路２５により設定されている点灯保持時間ｔｎから予め定められた時間６ｓ（秒）を減算した時刻において、例えば０．２ｓ（秒）の瞬時消灯を行い、その後に、光源１２による明るさ設定値Ｌｎの明るさでの照明を行い、点灯保持時間設定回路２５により設定されている点灯保持時間ｔｎが経過すると、光源１２への駆動電流の供給を停止して消灯させる。
【００３５】
なお、瞬時消灯を行う時間は、使用する人に対して消灯する時間が長いほど認知され易いが、その間は消灯してしまうため、設置場所によっては真っ暗になって不安感を与える虞がある。そのため、消灯する時間を０．２ｓ（秒）、０．４ｓ（秒）、０．６ｓ（秒）の３種類で感応評価をした結果、真っ暗になる不安感がないと感じられる最適時間は０．２ｓ（秒）であった。
【００３６】
次に、照明器具１０の動作について説明する。
【００３７】
図５にも示すように、トイレに人が入ったときに、人感センサ１８が時刻ｔａにおいて人検知信号を発生して、人検知信号を制御部１５に転送する。
【００３８】
これにより、制御部１５は人感センサ１８より与えられた人検知信号により、点灯明るさ設定回路２４により設定されている明るさレベルで光源１２を駆動させ、光源１２により光出力Ｌｎの明るさで照明を行う。
【００３９】
人の用事が済み、人感センサ１８が時刻ｔｂにおいて人検知信号を発生しなくなると、制御部１５は点灯保持時間設定回路２５により設定されている点灯保持時間ｔｎの減算処理を始める。そして、制御部１５は点灯保持時間ｔｎから予め定められた時間６ｓ（秒）を減算した時刻ｔｃにおいて、例えば０．２ｓ（秒）の瞬時消灯を行い、その後に、光源１２による光出力Ｌｎの明るさでの照明を行う。
【００４０】
そして、制御部１５は時刻ｔｄにおいて点灯保持時間設定回路２５により設定されている点灯保持時間ｔｎが経過すると、光源１２への駆動電流の供給を停止して光源１２を消灯させる。
【００４１】
このとき、制御部１５は点灯保持時間設定回路２５により設定されている点灯保持時間ｔｎから予め定められた時間６ｓ（秒）を減算した時刻ｔｃから時刻ｔｄまでの間に人感センサ１８から人検知信号が再度与えられると、制御部１５は点灯保持時間設定回路２５により設定されている新たな点灯保持時間ｔｎの減算処理を再度始める。
【００４２】
これにより、上記と同様にして、点灯保持時間ｔｎから予め定められた時間６ｓ（秒）を減算した時刻において光源１２は例えば０．２ｓ（秒）の瞬時消灯を行い、その後に、光出力Ｌｎの明るさでの照明を行う。
【００４３】
第１実施形態の照明器具１０では、光源１２は、予め設定された点灯保持時間ｔｎが終了する間際に瞬間的に消灯してから点灯する。
これにより、点灯保持時間が終了する間際に暗くなることはなく、点灯保持時間ｔｎが終了する間際に人の動きがあった場合、消灯後に点灯することにより真っ暗になることなく不自由のない十分な光量で照明を行うことができる。
従って、人にやさしい照明制御を行うことができる。
【００４４】
（第２実施形態）
次に、本発明の第２実施形態の照明器具について説明する。なお、以下の第２実施形態では第１実施形態との構造の相違はないので動作説明のみについて行う。
【００４５】
図６にも示すように、本発明の第２実施形態の照明器具４０は、トイレに人が入ったときに、人感センサ１８が時刻ｔａにおいて人検知信号を発生して、人検知信号を制御部４１に転送する。
【００４６】
これにより、制御部４１は人感センサ１８より与えられた人検知信号により、点灯明るさ設定回路２４により設定されている明るさレベルで光源１２を駆動させ、光源１２により光出力Ｌｎの明るさで照明を行う。
【００４７】
人の用事が済み、人感センサ１８が時刻ｔｂにおいて人検知信号を発生しなくなると、制御部４１は点灯保持時間設定回路２５により設定されている点灯保持時間ｔｎの減算処理を始める。そして、制御部４１は点灯保持時間ｔｎから予め定められた時間６ｓ（秒）を減算した時刻ｔｃにおいて、例えば０．２ｓ（秒）の瞬時消灯を行い、その後に、光源１２による光出力Ｌｎの明るさでの照明を行う。
【００４８】
そして、制御部４１は時刻ｔｃから例えば０．６ｓ（秒）の間に、光源１２による光出力Ｌｎの明るさでの照明を行い、時刻ｔｃから０．８ｓ（秒）後の時刻ｔｃ´において、例えば０．２ｓ（秒）の瞬時消灯を再び行い、その後に、光源１２による光出力Ｌｎの明るさでの照明を行う。
【００４９】
その後、制御部４１は時刻ｔｄにおいて点灯保持時間設定回路２５により設定されている点灯保持時間ｔｎが経過することにより、光源１２への駆動電流の供給を停止して光源１２を消灯させる。
【００５０】
このように、照明器具４０は点灯保持時間ｔｎから予め定められた時間６ｓ（秒）を減算した時刻ｔｃおよびその後の時刻ｔｃ´において瞬時消灯を２回繰り返し行う。
【００５１】
なお、消灯を繰り返す０．６ｓ（秒）は光源１２である電球型蛍光灯の再始動の際に蛍光灯フィラメントの予熱が十分行われるようにするためである。点灯後の点灯時間は電球型蛍光灯の回路にあわせて設定する必要がある。
【００５２】
第２実施形態の照明器具４０では、光源１２は、予め設定された点灯保持時間ｔｎが終了する間際に瞬間的な消灯を２回繰り返す。
これにより、点灯保持時間が終了する間際に暗くなることはなく、点灯保持時間ｔｎが終了する間際に人の動きがあった場合、連続的な消灯後に点灯を行う。
従って、不自由のない十分な光量で照明を行うことができるとともに消灯への移行を明確に促すことができる。
【００５３】
なお、前記各実施形態で使用した器具本体１１、光源１２等は例示したものに限定するものではなく適宜変更が可能である。
【符号の説明】
【００５４】
１  天井面
１０、４０  照明器具
１２  光源
１８  人感センサ
【図１】
2010170737.tif 000003
【図２】
2010170737.tif 000004
【図３】
2010170737.tif 000005
【図４】
2010170737.tif 000006
【図５】
2010170737.tif 000007
【図６】
2010170737.tif 000008